(57)【要約】【課題】縦フレームをアンカーボルトにより建物側の取付面に取り付ける際に、縦フレームの変形を防止すると共に、その固定作業が容易な空気調和機用室外機の据付台を提供する。【解決手段】縦フレーム１２は、取付面１１に対向配置される対向板部２１と、該対向板部２１から一体に曲げ形成され、取付面１１に当接する２つの側板部２２，２３とを有している。対向板部２１には、側板部２２，２３と共に取付面１１に当接するリブ３１，３２が、ボルト挿入孔２６に挿入されたアンカーボルト１４を左右両側から挟み込む配置態様にてアンカーボルト１４の挿入方向と平行に一対設けられている。これにより、アンカーボルト１４の締め付け応力をこのリブ３１，３２により分散して受けることができるため、縦フレーム１２の変形が抑制される。【選択図】      図３
2006145163.tif 000002
【特許請求の範囲】
【請求項１】
建物側の取付面に沿って配置固定されるアルミニウム又はアルミニウム合金からなる縦フレームと、当該縦フレームから水平方向へ片持ち支持された状態において空気調和機用室外機を載置可能とする横フレームとを備え、前記縦フレームを、前記取付面に対向配置される対向板部と、当該対向板部を前記取付面に対向配置させた状態において前記取付面に当接する側板部とを有する構成とし、前記対向板部には、前記縦フレームを前記取付面に締め付け固定するためのアンカーボルトが挿入されるボルト挿入孔を貫通形成した空気調和機用室外機の据付台において、
前記縦フレームの対向板部には、当該対向板部を前記取付面に対向配置させた状態において、前記側板部と共に前記取付面に当接するリブを形成した空気調和機用室外機の据付台。
【請求項２】
前記リブは、前記対向板部におけるボルト挿入孔の近傍部位に形成されている請求項１に記載の空気調和機用室外機の据付台。
【請求項３】
前記リブは、前記ボルト挿入孔に挿入された前記アンカーボルトを両側から挟み込む配置態様にて設けられている請求項１又は請求項２に記載の空気調和機用室外機の据付台。
【請求項４】
前記側板部には、前記横フレームを前記縦フレームに締め付け固定するための固定ねじが挿入されるねじ挿入孔が貫通形成されており、
前記リブには、前記ねじ挿入孔と対応する位置に切欠部が前記取付面側から切り欠き形成されている請求項１〜請求項３のうち何れか一項に記載の空気調和機用室外機の据付台。
【請求項５】
前記縦フレームの対向板部には前記ボルト挿入孔が縦方向に一対離間形成されており、当該一対のボルト挿入孔の間に位置させて前記対向板部には当該対向板部から前記側板部とは反対側に向けて延びる補強板部が設けられている請求項１〜請求項４のうち何れか一項に記載の空気調和機用室外機の据付台。
【発明の詳細な説明】
【技術分野】
【０００１】
本発明は、空気調和機用室外機の据付台に関し、特に建物の壁やコンクリート基礎部に直接固定されるタイプの据付台に関する。
【背景技術】
【０００２】
空気調和機用室外機は、屋外に設置される際には、通常、所定の据付台に載置される。従来、こうした据付台には、例えば、家屋の壁やコンクリート基礎部等の鉛直な取付面に沿って取り付けられるタイプのものが知られている（特許文献１参照）。
【０００３】
このタイプの据付台は、アンカーボルトによって取付面に沿って取り付けられる垂直な縦フレームと、この縦フレームに対して固定ねじにより取付面と直角な方向（水平方向）に突出して設けられる横フレームとを有して構成されている。縦フレームは、断面略コ字形状であって、取付面に対向配置される対向板部と、該対向板部から一体に曲げ形成され、取付面に当接する２つの側板部とを有している。そして、縦フレームと横フレームとで構成される据付台が、取付面に対して略同じ高さ位置となるように並列に一対取り付けられて、一対の横フレーム上に室外機が載置されるようになっている。
【０００４】
ところで、近時、軽量化及び美観等の要請から、この据付台（縦フレーム及び横フレーム）の材料には軽金属であるアルミニウムが用いられている。アルミニウムはスチール等の重金属と比較するとその剛性が低いため、断面略コ字形状に形成された縦フレームの場合、アンカーボルトの締め付けによる応力集中を受けて、特にアンカーボルトが挿入される縦フレームのボルト挿入孔近傍が変形してしまう虞があった。これは、固定ねじの締め付けにおいても同様であって、この場合、横フレームの固定ねじ挿入孔近傍及び縦フレームの側板部が変形してしまうことがあった。
【０００５】
そこで、一般には、筒状のスリーブが、縦フレームと取付面との間（ここに配置されるスリーブを「ボルト挿通用スリーブ」という。）及び各側板部の間（ここに配置されるスリーブを「固定ねじ挿通用スリーブ」という。）にそれぞれ配置されるようになっている。
【０００６】
この構成によれば、アンカーボルトの締め付け応力はボルト挿通用スリーブによって分散され、同様に、固定ねじの締め付け応力は固定ねじ挿通用スリーブによって分散されるため、縦フレーム（横フレーム）が変形することを抑制できるとされていた。
【特許文献１】意匠登録第１０４８６５７号公報
【発明の開示】
【発明が解決しようとする課題】
【０００７】
しかしながら、上記構成においては、それぞれのアンカーボルト及び固定ねじに対してスリーブが必要であるため部材点数が増加し、縦フレームの固定作業が煩雑になるという問題があった。具体的には、上記構成では、横フレームを縦フレームに固定する際に、コ字形状に形成される縦フレームの内部（側板部と対向板部に囲まれた部分）において、固定ねじが挿通する位置に固定ねじ挿通用スリーブを正確に位置決めして支持しなければならなかった。
【０００８】
また、縦フレームを取付面に固定する際には、縦フレームのボルト挿入孔にアンカーボルトを挿入させた状態で、ボルト挿入孔を貫通したアンカーボルトの外周部位にボルト挿通用スリーブを嵌め込むという手順をいちいち踏まなければならなかった。また、この際、アンカーボルトはその頭部がボルト挿入孔周縁の対向板部に係止しているのみであるため、非常に不安定であり、作業がやりにくかった。
【０００９】
本発明は、このような背景に基づきなされたものであって、その目的は、縦フレームをアンカーボルトにより建物側の取付面に取り付ける際に、縦フレームの変形を防止すると共に、その固定作業が容易な空気調和機用室外機の据付台を提供することにある。
【課題を解決するための手段】
【００１０】
上記目的を達成するために、空気調和機用室外機の据付台に係る請求項１に記載の発明は、建物側の取付面に沿って配置固定されるアルミニウム又はアルミニウム合金からなる縦フレームと、当該縦フレームから水平方向へ片持ち支持された状態において空気調和機用室外機を載置可能とする横フレームとを備え、前記縦フレームを、前記取付面に対向配置される対向板部と、当該対向板部を前記取付面に対向配置させた状態において前記取付面に当接する側板部とを有する構成とし、前記対向板部には、前記縦フレームを前記取付面に締め付け固定するためのアンカーボルトが挿入されるボルト挿入孔を貫通形成した空気調和機用室外機の据付台において、前記縦フレームの対向板部には、当該対向板部を前記取付面に対向配置させた状態において、前記側板部と共に前記取付面に当接するリブを形成したことを特徴とする。
【００１１】
請求項２に係る発明は、請求項１に記載の空気調和機用室外機の据付台において、前記リブは、前記対向板部におけるボルト挿入孔の近傍部位に形成されていることを特徴とする。
【００１２】
請求項３に係る発明は、請求項１又は請求項２に記載の空気調和機用室外機の据付台において、前記リブは、前記ボルト挿入孔に挿入された前記アンカーボルトを両側から挟み込む配置態様にて設けられていることを特徴とする。
【００１３】
請求項４に係る発明は、請求項１〜請求項３のうち何れか一項に記載の空気調和機用室外機の据付台において、前記側板部には、前記横フレームを前記縦フレームに締め付け固定するための固定ねじが挿入されるねじ挿入孔が貫通形成されており、前記リブには、前記ねじ挿入孔と対応する位置に切欠部が前記取付面側から切り欠き形成されていることを特徴とする。
【００１４】
請求項５に係る発明は、請求項１〜請求項４のうち何れか一項に記載の空気調和機用室外機の据付台において、前記縦フレームの対向板部には前記ボルト挿入孔が縦方向に一対離間形成されており、当該一対のボルト挿入孔の間に位置させて前記対向板部には当該対向板部から前記側板部とは反対側に向けて延びる補強板部が設けられていることを特徴とする。
【発明の効果】
【００１５】
請求項１に記載の発明によれば、縦フレームを取付面に沿って配置固定する際に、アンカーボルトの締め付け応力をリブにより分散して受けることになるため、縦フレームの変形を抑制できる。これにより、変形防止のためにわざわざスリーブを用いる必要がなくなるため、部材点数が少なくてすむとともに、スリーブの位置合わせも必要ないことから縦フレームの固定作業を容易にできる。
【００１６】
請求項２に記載の発明によれば、縦フレームにおいてはアンカーボルトの締め付け応力が特に集中するボルト挿入孔の近傍部位の変形を良好に抑制できる。
請求項３に記載の発明によれば、ボルト挿入孔から挿入されたアンカーボルトを、そのアンカーボルトを両側から挟み込む態様にて設けられたリブにより、取付面まで案内することができる。
【００１７】
請求項４に記載の発明によれば、横フレームを縦フレームに締め付け固定するためにねじ込まれる固定ねじの締め付け応力によって縦フレームが変形しないようにするべく用いられるスリーブをリブに切り欠き形成された切欠部により位置決め状態で保持できる。従って、スリーブの面倒な位置決め作業が不要となる。
【００１８】
請求項５に記載の発明によれば、縦フレームの強度を補強板部により更に補強できると共に、縦フレームを取付面にアンカーボルトで締め付け固定する際に、工具（レンチ等）の揺動範囲が補強板部によって遮られることがないため、効率的に締め付け作業を行うことができる。
【発明を実施するための最良の形態】
【００１９】
以下、本発明を、建物の壁面下部における鉛直面をなすコンクリート基礎部を取付面として固定される空気調和機用室外機の据付台に具体化した実施形態を図１〜図８にしたがって説明する。
【００２０】
（第１実施形態）
まず、本発明の第１実施形態について、図１〜図４を参照して説明する。なお、以下の説明において「前後左右方向」を示す場合は、図２における左方を「前方」、右方を「後方」、紙面と直交する方向で手前側を「左方」、その奥側を「右方」として説明するものとする。
【００２１】
図１、図２に示すように本実施形態の据付台１０は、建物側の鉛直な取付面１１に沿って配置固定される縦フレーム１２と、当該縦フレーム１２から水平方向へ片持ち支持される横フレーム１３とを備えている。縦フレーム１２及び横フレーム１３は、アルミニウム又はアルミニウム合金から形成されている。縦フレーム１２は、上下２つのアンカーボルト１４，１５によって取付面１１に締め付け固定されている。一方、横フレーム１３は、上下２つの固定ねじ１６，１７によって縦フレーム１２に締め付け固定されている。そして、これらの各フレーム１２，１３から構成される左右一対の据付台１０が、取付面１１に対して互いに略同じ高さ位置となるように並列に配置固定され、一対の横フレーム１３上に室外機１８が載置されるようになっている。
【００２２】
図３に示すように、縦フレーム１２は水平断面形状が略コ字形状であって、取付面１１に対して対向配置される対向板部２１と、該対向板部２１の左右両側から一体に曲げ形成され、先端（図３では左端）が取付面１１に当接する左右一対の側板部２２，２３とを有している。各側板部２２，２３には、横フレーム１３を縦フレーム１２に締め付け固定するための固定ねじ１６，１７が挿入されるねじ挿入孔２４，２５が、それぞれ貫通形成されている。
【００２３】
また、対向板部２１には、縦フレーム１２を取付面１１に締め付け固定するためのアンカーボルト１４，１５が挿入される上下一対のボルト挿入孔２６が、縦方向に離間して貫通形成されている。なお、この上下一対のボルト挿入孔２６は、共に正面視楕円形状（図示略）であって、さらに詳しくは上側のボルト挿入孔２６は横長の楕円形状に形成され、下側のボルト挿入孔２６は縦長の楕円形状に形成されている。これにより、取付面１１側に形成された一対のアンカーボルト１４，１５のボルト穴（図示略）の位置と縦フレーム１２に形成された各ボルト挿入孔２６の位置との間に僅かな誤差がある場合に、その誤差を楕円の長辺部の範囲内で吸収できるようになっている。即ち、左右方向のずれは上側の横長のボルト挿入孔２６にて吸収され、上下方向のずれは下側の縦長のボルト挿入孔２６にて吸収されるようになっている。
【００２４】
さらに、対向板部２１には、各側板部２２，２３と共に先端（図３では左端）が取付面１１に当接する左右一対のリブ３１，３２が、ボルト挿入孔２６に挿入されたアンカーボルト１４，１５を左右両側から挟み込む配置態様にてアンカーボルト１４，１５の挿入方向と平行に設けられている。具体的には、対向板部２１においてボルト挿入孔２６の近傍部位３８を上下方向に延びる配置態様に各リブ３１，３２は設けられている。図４に示すように、各リブ３２（３１）には、切欠部３３，３４が、側板部２２，２３に形成された各ねじ挿入孔２４，２５の位置と対応する二位置に前端側から切り欠き形成されている。なお、図４では、簡単のため、横フレーム１３及びアンカーボルト１４，１５等の各部材は省略して図示してある。この切欠部３３，３４には、固定ねじ挿通用スリーブ３６，３７が、縦フレーム１２の左右両側板部２２，２３の内面に当接するように嵌め込まれる。この固定ねじ挿通用スリーブ３６，３７を切欠部３３，３４に嵌め込む理由は、固定ねじ１６，１７とこれらの固定ねじ１６，１７に螺合するナット３５による締め付け応力を受ける横フレーム１３及び縦フレーム１２の側板部２２，２３の変形を抑制するためである。
【００２５】
一方、横フレーム１３は、縦断面形状が略コ字形状であって、舌片状をなす先端部（図３では左端部）４１ａ，４２ａが縦フレーム１２の側板部２２，２３に外側から当接する左右一対の垂直側板部４１，４２と、室外機１８が載置される載置部４３とを有している。両垂直側板部４１，４２の各先端部４１ａ，４２ａには、縦フレーム１２側の各ねじ挿入孔２４，２５と対応する横フレーム１３側のねじ挿入孔４６，４７が貫通形成されている。
【００２６】
載置部４３は、その上面を、中央に溝４４を有するレール状に形成されており、該溝４４にはゴム材等からなる一対の絶縁・防振部材４５が溝４４内を前後方向にスライド可能に取り付けられている。そして、横フレーム１３に室外機１８が設置される際には、室外機１８の下面に設けられる取付部（図示略）に位置対応するように各絶縁・防振部材４５の離間位置を調整して、これらの２つの絶縁・防振部材４５上に室外機１８が載置されるようになっている。なお、図２に示すように、縦フレーム１２の上下両端開口及び横フレーム１３の後端開口は、美観上の見地から蓋部材４８，４９により覆われている。
【００２７】
上記のように構成された本実施形態の据付台１０は、次のようにして取付面１１に固定される。
まず、上下２つの固定ねじ挿通用スリーブ３６，３７を、縦フレーム１２のリブ３１，３２に形成された切欠部３３，３４に嵌め込む。すると、固定ねじ挿通用スリーブ３６，３７が、両側板部２２，２３の各ねじ挿入孔２４，２５に位置合わせされた状態で縦フレーム１２に係合保持される。次に、横フレーム１３を、その左右両垂直側板部４１，４２の各先端部４１ａ，４２ａが縦フレーム１２の左右両側板部２２，２３を外側から挟み込むように位置させる。そして、縦フレーム１２側の各ねじ挿入孔２４，２５と横フレーム１３側の各ねじ挿入孔４６，４７とを位置合わせする。すると、縦フレーム１２と横フレーム１３とが直交状態となり、縦フレーム１２側及び横フレーム１３側の各ねじ挿入孔２４，２５，４６，４７と固定ねじ挿通用スリーブ３６，３７が同軸配置の状態となる。
【００２８】
そして次に、その状態において、横フレーム１３における一方（図３においては下側となる左側）の垂直側板部４１の先端部４１ａに形成されたねじ挿入孔４７から固定ねじ１６，１７を挿入し、他方（図３においては上側となる右側）の垂直側板部４２の先端部４２ａに形成されたねじ挿入孔４６から突出させる。そして、その突出した固定ねじ１６，１７の先端にナット３５を嵌め込むことで横フレーム１３を縦フレーム１２に固定する。
【００２９】
横フレーム１３を縦フレーム１２に固定して一体とした後は、建物側の取付面１１に縦フレーム１２をアンカーボルト１４，１５により締め付け固定する。すなわち、縦フレーム１２における対向板部２１のボルト挿入孔２６を取付面１１側のボルト穴（図示略）に位置合わせすると共に、左右両側板部２２及びリブ３１，３２の各前端を取付面１１に当接させ、その状態においてボルト挿入孔２６に挿入したアンカーボルト１４，１５を締め付け固定のために螺進させる。すると、横フレーム１３を水平方向へ片持ち支持してなる縦フレーム１２が取付面１１に対してアンカーボルト１４，１５を介して強固に固定され、これにより据付台１０の固定作業が終了となる。
【００３０】
以上、本実施形態の据付台１０の構造及び取付面１１への固定手順について説明したが、次に、この据付台１０の作用について説明する。
上記したように、縦フレーム１２は、対向板部２１に形成された上下２つのボルト挿入孔２６からアンカーボルト１４，１５が挿入されて螺合方向へ回動されることで取付面１１に固定される。この際、アンカーボルト１４，１５の頭部が、対向板部２１に形成されたボルト挿入孔２６の近傍部位３８（図３参照）を取付面１１側へ押圧する。ここで、縦フレーム１２は、スチール等と比較すると剛性の低いアルミニウム又はアルミニウム合金で構成されているため、局所的な押圧力を受けると押圧方向へ容易に撓んでしまうことになる。特に、本実施形態の縦フレーム１２のように、薄いプレート状の部材であればなおさらである。
【００３１】
しかし、本実施形態では、ボルト挿入孔２６の近傍部位３８に、取付面１１に当接するリブ３１，３２が形成されているため、アンカーボルト１４，１５の締め付け応力をこのリブ３１，３２により分散して受けることになる。換言すれば、縦フレーム１２の対向板部２１（特に、ボルト挿入孔２６の近傍部位３８）において、局所的にアンカーボルト１４，１５の締め付け応力が集中することがないため、縦フレーム１２の変形が抑制される。
【００３２】
さらに、リブ３１，３２は、アンカーボルト１４，１５を両側から挟み込む配置態様にて設けられているため、挿入されたアンカーボルト１４，１５は左右方向に極力ガタつくことなく、あたかもリブ３１，３２にガイドされるようにして取付面１１まで挿入されることになる。
【００３３】
また、横フレーム１３を縦フレーム１２に締め付け固定する際には、上記リブ３１，３２と同様の作用により、固定ねじ挿通用スリーブ３６，３７によって固定ねじ１６，１７（ナット３５）の締め付け応力を分散して受けることになる。これにより、縦フレーム１２の側板部２２，２３及び横フレーム１３の垂直側板部４１，４２（特に先端部４１ａ，４２ａ）の変形が抑制されるようになっている。
【００３４】
上記実施形態の空気調和機用室外機１８の据付台１０によれば、以下のような効果を得ることができる。
（１）上記実施形態では、縦フレーム１２に、その対向板部２１を取付面１１に対向配置させた状態において側板部２２，２３と共に取付面１１に当接するリブ３１，３２が形成されている。このため、アンカーボルト１４，１５の締め付け応力をリブ３１，３２により分散して受けることになり、縦フレーム１２の変形を抑制することができる。
【００３５】
（２）また、このリブ３１，３２は対向板部２１におけるボルト挿入孔２６の近傍部位３８に設けられているため、アンカーボルト１４，１５の締め付け応力が特に集中するボルト挿入孔２６の近傍部位３８の変形を効果的に抑制することができる。
【００３６】
（３）さらに、上記のようにリブ３１，３２が対向板部２１の変形を防止する作用を奏することで、変形防止のために取付面１１と対向板部２１との間にわざわざボルト挿通用のスリーブを配置する必要がなくなるため、部材点数を少なくでき、据付台１０のさらなる軽量化を図ることができる。
【００３７】
（４）さらに、リブ３１，３２は、アンカーボルト１４，１５を両側から挟み込む配置態様にて設けられている。このため、２つのリブ３１，３２により、アンカーボルト１４，１５を取付面１１までガイドすることができ、縦フレーム１２の固定作業を容易にすることができる。
【００３８】
（５）上記実施形態では、縦フレーム１２のリブ３１，３２に固定ねじ挿通用スリーブ３６，３７を位置決め状態で係合保持できる切欠部３３，３４が切り欠き形成されている。そのため、上記したように、固定ねじ挿通用スリーブ３６，３７を切欠部３３，３４に嵌め込めば、従来とは異なり、ねじ挿入孔２４，２５，４６，４７に対する固定ねじ挿通用スリーブ３６，３７の面倒な位置決め作業をする必要もなく、据付台１０の固定作業をさらに容易にすることができる。
【００３９】
（第２実施形態）
次に、本発明の第２実施形態について、図５〜図８を参照して説明する。なお、本実施形態では、第１実施形態と共通する構成部材には第１実施形態と同様の符号を付しており、以下、第１実施形態との相違部分に着目して、説明することとする。
【００４０】
図５、図６に示すように、本実施形態の据付台５０は、第１実施形態と同様に縦フレーム５１と横フレーム５２とを有して構成されている。対向板部２１に設けられるリブ３１，３２、ボルト挿入孔２６等の構成は第１実施形態と同様であるため、その詳しい説明は省略する。
【００４１】
縦フレーム５１の対向板部２１には、該対向板部２１の左右両側から側板部２２，２３とは反対側となる後側（図５、図６において右側）に向けて延びる左右一対の補強板部５３，５４が設けられている。この補強板部５３，５４は、対向板部２１に上下一対離間形成された各ボルト挿入孔２６の間に位置するように形成されている。そして、本実施形態では、この補強板部５３，５４に、横フレーム５２を縦フレーム５１に締め付け固定するための固定ねじ１６，１７が挿入されるねじ挿入孔２４，２５が、それぞれ貫通形成されている。
【００４２】
また、横フレーム５２は、第１実施形態とほぼ同様の構成であるが、その左右両垂直側板部４１，４２の先端部が舌片状に形成されていない点、及び該先端部を縦フレーム５１の補強板部５３，５４の内側から当接するようにして縦フレーム５１に固定する点で第１実施形態とは異なっている。さらに、第２実施形態は、縦フレーム５１の対向板部２１から前方へ形成された側板部２２，２３及び各リブ３１，３２の前方への長さが第１実施形態の縦フレーム１２の場合よりも短いという相違点を有している。
【００４３】
次に、上記のように構成される据付台５０の作用について説明する。
取付面１１への固定手順については、上記第１実施形態と略同様であって、縦フレーム５１は、対向板部２１に形成された上下２つのボルト挿入孔２６からアンカーボルト１４，１５が挿入されることで取付面１１に固定される。これらのアンカーボルト１４，１５は、例えば図７に示すように、対向板部２１側からレンチ５５等の所定工具により締め付けられる。このとき、補強板部５３，５４は、対向板部２１に上下一対設けられたボルト挿入孔２６の間から後方へ張り出しており、アンカーボルト１４，１５の締め付け操作時におけるレンチ５５の揺動範囲Ａを遮らないようになっている。
【００４４】
図８は、その比較のための図であって、図７における補強板部５３，５４が対向板部２１の上端から下端まで長手方向全体に亘って設けられた補強板部６１，６２とされている場合を例示している。この場合、レンチ５５の揺動範囲Ａ１は、対向板部２１の上端まで延設された補強板部６１，６２によって遮られてしまうため狭くなってしまう（Ａ１＜１８０度＜Ａ）。しかし、本実施形態では、図７に示すように、レンチ５５の揺動操作に際して十分な揺動範囲（Ａ＞１８０度）を確保することができる。なお、上記では上側のアンカーボルト１４を例に説明したが、下側のアンカーボルト１５の締め付け時にも同様のことがいえる。
【００４５】
上記実施形態の据付台５０によれば、以下のような効果を得ることができる。
（１）上記実施形態では、縦フレーム５１には、対向板部２１から側板部２２，２３とは反対側に向けて延びる補強板部５３，５４が設けられている。このため、リブ３１，３２による効果に加え、縦フレーム５１の強度を更に補強することができる。
【００４６】
（２）しかも、その補強板部５３，５４は、縦フレーム５１を取付面１１にアンカーボルト１４，１５で締め付け固定する際に、レンチ５５の揺動範囲Ａ１を遮ることがない位置に形成されているため、効率的に締め付け作業を行うことができる。
【００４７】
（３）また、補強板部５３，５４を対向板部２１の上端から下端まで長手方向全体に亘って設ける場合と比較して（図７と図８の比較参照）、材料を削減できるとともに、さらなる軽量化を図ることができる。
【００４８】
なお、上記各実施形態は以下のように変更してもよい。
・上記各実施形態では、リブ３１，３２を、アンカーボルト１４，１５を左右両側から挟み込む配置態様にて一対設けられる構成としたが、リブ３１，３２は１つ又は３つ以上の構成であってもよい。
【００４９】
・また、リブ３１，３２は、必ずしもアンカーボルト１４，１５を左右両側から挟み込む配置態様に限定されるものではない。例えば、挿入されるアンカーボルト１４，１５を上下に半割する配置態様にて、アンカーボルト１４，１５を上下方向から挟み込むように構成してもよい。この構成のリブによれば、挿入されたアンカーボルト１４，１５を上下方向にガタつかないように、取付面１１までガイドすることができる。
【００５０】
・また、リブ３１，３２の形状は図４に示す形状に限定されるものではない。すなわち、リブ３１，３２は、側板部２２，２３と共に先端となる前端が取付面１１に当接する構成であれば、アンカーボルト１４，１５の締め付け応力を分散させるという効果を奏すことができる。
【００５１】
・上記第１実施形態の構成に、上記第２実施形態における補強板部５３，５４をさらに追加してもよい。この場合、補強板部５３，５４により、縦フレーム１２の強度を更に補強することができる。
【００５２】
・上記実施形態では、建物の壁面のコンクリート基礎部に取り付けられる据付台１０として説明したが、建物の壁面自体に取り付けてもよいし、その取付面１１は鉛直面に限られたものでもない。例えば、取付面１１が斜面であれば、上記縦フレーム１２，５１はその斜面に平行に取り付けられることになり、その縦フレーム１２，５１に対して横フレーム１３，５２が水平方向へ片持ち支持状態に固定されることになる。
【００５３】
・上記実施形態では、固定手順において、まず縦フレーム１２，５１に横フレーム１３，５２を固定し、縦フレーム１２，５１と横フレーム１３，５２とを一体にした後に縦フレーム１２，５１を取付面１１に固定するものとした。これに代えて、まず、縦フレーム１２，５１を単体で取付面１１に固定し、その後、固定済みの縦フレーム１２，５１に対して横フレーム１３，５２を固定するようにしてもよい。手順は適宜変更して実施することができる。
【図面の簡単な説明】
【００５４】
【図１】第１実施形態の空気調和機用室外機の据付台の使用態様を示す全体斜視図。
【図２】空気調和機用室外機の据付台の側面図。
【図３】図２におけるＡ−Ａ線矢視断面図。
【図４】図３におけるＢ−Ｂ線矢視断面図。
【図５】第２実施形態における据付台の側面図。
【図６】図５におけるＣ−Ｃ線矢視断面図。
【図７】アンカーボルトの締め付け時における、レンチの揺動範囲を説明する図。
【図８】アンカーボルトの締め付け時における、レンチの揺動範囲を説明する比較図。
【符号の説明】
【００５５】
１０，５０…据付台、１１…取付面、１２，５１…縦フレーム、１３，５２…横フレーム、１４，１５…アンカーボルト、１６，１７…固定ねじ、１８…空気調和機用室外機、２１…対向板部、２２，２３…側板部、２４，２５…ねじ挿入孔、２６…ボルト挿入孔、３１，３２…リブ、３３，３４…切欠部、３５…ナット、３６，３７…固定ねじ挿通用スリーブ、３８…ボルト挿入孔の近傍部位、４１，４２…垂直側板部、４３…載置部、５３，５４…補強板部。
【図１】
2006145163.tif 000003
【図２】
2006145163.tif 000004
【図３】
2006145163.tif 000005
【図４】
2006145163.tif 000006
【図５】
2006145163.tif 000007
【図６】
2006145163.tif 000008
【図７】
2006145163.tif 000009
【図８】
2006145163.tif 000010